(57)【特許請求の範囲】
【請求項１】
エラーチェックのためのビットを含む第１部分と、エラー訂正のためのエラー制御ビットを含む第２部分とを有するハンドオーバのためのトラフィックチャンネルが送信される無線通信システムにおけるハンドオーバ時間を短縮する方法であって、
前記第1部分を受信し、
前記第１部分の妥当性をチェックし、かつ、
前記チェックの結果、前記第１部分が妥当である場合には、前記第２部分を受信する前にハンドオーバを開始するようにしたことを特徴とする方法。
【請求項２】
前記請求項１に記載した方法において、さらに、
前記チェックの結果、前記第１部分が妥当でない場合には、前記第２部分を受信し、
前記第２部分に含まれる前記エラー制御ビットを用いて前記トラフィックチャンネルを復号化し、その後に
前記第１部分の妥当性を再度チェックするようにした方法。
【請求項３】
前記エラー制御ビットを用いた前記トラフィックチャンネルの復号化は、ＢＣＨ復号化である前記請求項２に記載の方法。
【請求項４】
前記請求項２または３に記載した方法において、さらに、
前記第１部分の妥当性の再度のチェックの結果、前記第１部分が妥当でない場合には、前記トラフィックチャンネルを破棄するようにした方法。
【請求項５】
前記第１部分に含まれるエラーチェックのためのビットは、ＣＲＣビットである前記請求項１ないし４のうちのいずれか１つに記載した方法。
【請求項６】
エラーチェックのためのＣＲＣビットを含む第１スロットと、エラー訂正のためのエラー制御ビットを含む第２スロットとを有するハンドオーバのためのトラフィックチャンネルが送信される無線通信システムにおけるハンドオーバを開始する方法であって、
前記第１スロットを抽出し、
前記第１スロットにＣＲＣ復号化を適用し、
前記ＣＲＣ復号化に基づく前記第１スロットの妥当性を判定し、かつ、
前記判定の結果、前記第１スロットが妥当である場合には、前記第２スロットを抽出することなくハンドオーバを開始するようにしたことを特徴とする方法。
【請求項７】
前記請求項６に記載した方法において、さらに、
前記第１スロットをバイト単位で格納するようにした方法。
【請求項８】
前記請求項６または７に記載した方法において、さらに、
前記判定の結果、前記第１スロットが妥当でない場合には、前記第２スロットを抽出し、
前記第２スロットのエラー制御ビットを用いてトラフィックチャンネルを復号化し、
ＣＲＣ復合化に基づいて前記エラー制御ビットを用いて復号化されたトラフィックチャンネルの妥当性を判定するようにした方法。
【請求項９】
前記エラー制御ビットを用いたトラフィックチャンネルの復号化は、ＢＣＨ復号化である前記請求項８に記載した方法。
【請求項１０】
前記請求項８または９に記載した方法において、
前記エラー制御ビットを用いて復号化されたトラフィックチャンネルの妥当性がないと判定された場合には前記トラフィックチャンネルを破棄するようにした方法。
【請求項１１】
前記請求項６ないし１０のうちのいずれか１つに記載した方法において、さらに、
ハンドオーバが要求されているかどうかを判定するようにした方法。
【請求項１２】
エラーチェックのためのＣＲＣビットを含む第１スロットと、エラー訂正のためのエラー制御ビットを含む第２スロットとを有するハンドオーバのためのトラフィックチャンネルが送信される無線通信システムで用いるための移動局であって、
前記第１スロットを受信する受信機と、
前記第１スロットを復号化して妥当性を判定する復号器とを備え、
前記第１スロットに妥当性があると判定された場合には、前記第２スロットを受信する前にハンドオーバを開始するようにした移動局。
【請求項１３】
前記復号器がＣＲＣ復号化を用いるようにした前記請求項１２に記載した移動局。
【請求項１４】
前記請求項１２または１３に記載した移動局において、さらに
前記第１スロットに妥当性がないと判定された場合には、前記受信機がトラフィックチャンネルの第２スロットを受信するようにした移動局。
【請求項１５】
前記請求項１４に記載した移動局において、さらに
前記第２スロットのエラー制御ビットを用いて前記トラフィックチャンネルを復号化するようにした移動局。
【請求項１６】
エラーチェックのためのＣＲＣビットを含む第１スロットと、エラー訂正のためのエラー制御ビットを含む第２スロットとを有するハンドオーバのためのトラフィックチャンネルが送信される無線通信システムに適用される装置であって、
コンピュータ読取り可能な記録媒体上に記録されている命令であって、
前記トラフィックチャンネルの第１スロットを抽出し、
前記トラフィックチャンネルの第１スロットにＣＲＣ復号化を適用し、
前記ＣＲＣ復号化に基づいて前記トラフィックチャンネルの第１スロットの妥当性を判定し、かつ、
前記第１スロットが妥当である場合には、前記第２スロットを抽出することなくハンドオーバを開始する命令を実行するようにしたことを特徴とする装置。
【請求項１７】
前記第１スロットがバイト単位で格納される前記請求項１６に記載した装置。
【請求項１８】
前記コンピュータ読取り可能な記録媒体上に記録されている命令には、さらにハンドオーバが要求されているかどうかを判定することが含まれており、さらに
このハンドオーバが要求されているかどうかを判定する命令を実行する前記請求項１６または１７に記載した装置。
【発明の詳細な説明】
【０００１】
【発明の属する技術分野】
本発明は、無線通信システムに関し、より詳細にはトラフィックチャンネル間のハンドオフ時間短縮に関する。
【０００２】
【発明の背景】
無線通信システムの利用は、ユーザーがすでに数百万人に達するまでに成長している。普及している無線通信システムの一つはセル方式電話であり、移動局（すなわち携帯電話）と基地局を有する。セル方式電話によってユーザーは固定位置に留まる必要もなく電話で話すことができる。これは、例えば電話で会話しながらその付近を自由に移動できる。
【０００３】
無線電話通信システムでは、ＲＦチャンネルを経由する通信リンクが、移動局すなわち加入者のユニットと、送信元基地局との間に確立されている。移動局が送信元基地局の範囲外へ移動すると、信号の質が低下し、最終的には通信リンクが絶たれる。すなわち、通話が「落ちて」しまう。通話の落ちを招く通信リンクの喪失を避けるために、通信リンクは送信元基地局から目標基地局へ切換えられる。この切換プロセスは、無線電話通信の分野すなわちセル方式通信の分野ではハンドオーバプロセスと呼ばれるのが普通である。
【０００４】
ハンドオーバは、通話中におけるチャンネルの切換えとして定義され得る。この定義の理由は、ハンドオーバが、一定のしきい値未満の電力レベルや通信リンクの質を含むＲＦチャンネルの質の低下のためか、あるいはもっと少ない送信電力で通信できるようにしたり、または移動局が計画された基地局の境界を大きく越えないようにしたりする別のチャンネルの利用可能性のためによるからである。ハンドオーバは通話進行中に生ずることもあるし（例えば、あるトラフィックチャンネルから、あるトラフィックチャンネルへ）、通話設定中の最初の信号出しの間に生ずることもある。ハンドオーバは、送信元基地サイトにおけるチャンネルから目標基地サイトにおける別のチャンネルまで、あるいは送信元基地サイトにおける複数のチャンネル間でも生ずる。
【０００５】
【発明の概要】
本発明は上記のような技術的背景のもとになされたもので、その特徴は、無線通信システムにおけるハンドオーバ時間を短縮する方法であって、トラフィックチャンネルの第1部分を受信し、前記トラフィックチャンネルの第１部分の妥当性をチェックし、かつ、前記トラフィックチャンネルの第１部分が妥当である場合に、ハンドオーバを開始するようにした方法にある。
【０００６】
この場合、前記方法において、さらに、エラー制御ビットを含む前記トラフィックチャンネルの第２部分を受信し、前記トラフィックチャンネルを復号化し、かつ前記エラー制御ビットの妥当性をチェックするようにするとよい。
【０００７】
また、前記方法において、さらに、前記トラフィックチャンネルの第１部分に含まれるＣＲＣビットを復号化するようにするとよい。
【０００８】
また、前記方法において、さらに、前記トラフィックチャンネルの第２部分を受信する前に、前記ハンドオーバを開始するようにするとよい。
【０００９】
また、前記方法において、さらに、前記エラー制御ビットが妥当でない場合に、前記トラフィックチャンネルを破棄するようにするとよい。
【００１０】
また、前記方法において、さらに、ＢＣＨ復号化を用いて前記トラフィックチャンネルを復号化するようにするとよい。
【００１１】
また、本発明の他の特徴は、ハンドオーバを開始する方法であって、トラフィックチャンネルの第１スロットを抽出し、前記トラフィックチャンネルの第１スロットにＣＲＣ復号化を適用し、前記ＣＲＣ復号化に基づく前記トラフィックチャンネルの第１スロットの妥当性を判定し、かつ、前記第１スロットが妥当である場合、要求されたハンドオーバを（具体的には、いずれの要求されたハンドオーバも、すなわち全ての要求されたハンドオーバを）開始するようにした方法にある。
【００１２】
この場合、前記方法において、さらに、前記トラフィックチャンネルの第１スロットをバイト単位で格納するようにするとよい。
【００１３】
また、前記方法において、さらに、ハンドオーバが要求されているかどうかを判定するようにするとよい。
【００１４】
また、前記方法において、さらに、前記トラフィックチャンネルの第２スロットを抽出し、前記トラフィックチャンネルに復号化し、ＣＲＣ復号化に基づいて前記トラフィックチャンネルの妥当性を判定するようにするとよい。
【００１５】
また、前記方法において、妥当性がないと判定した場合には前記トラフィックチャンネルを破棄するようにするとよい。
【００１６】
また、前記方法において、さらに、前記トラフィックチャンネルにＢＣＨ復号化を適用するようにするとよい。
【００１７】
また、本発明の他の特徴は、無線通信システムで用いるための移動局であって、トラフィックチャンネルの第１スロットを受信する受信機と、前記トラフィックチャンネルの第１スロットを復号化して妥当性を判定する復号器とを備え、前記第１スロットに妥当性があると判定された場合にハンドオーバを開始するようにした移動局にある。
【００１８】
この場合、前記移動局において、前記受信機がトラフィックチャンネルの第２スロットを受信するようにするとよい。
【００１９】
また、前記移動局において、前記トラフィックチャンネルが復号化されるようにするとよい。
【００２０】
また、前記移動局において、前記復号器がＣＲＣ復号化を用いるようにするとよい。
【００２１】
また、本発明の他の特徴は、マシン読取り可能な記録媒体上（すなわち機械読取り可能な記録媒体上またはコンピュータ読取り可能な記録媒体上）に記録されている命令を含んでいて、複数の命令を扱うためにマシンシステム（すなわち機械システムまたはコンピュータシステム）で使用される装置（または記録媒体）において、前記命令は前記マシンに、トラフィックチャンネルの第１スロットを抽出させ、前記トラフィックチャンネルの第１スロットにＣＲＣ復号化を適用させ、前記ＣＲＣ復号化に基づいて前記トラフィックチャンネルの第１スロットの妥当性を判定させ、かつ、前記第１スロットが妥当である場合に要求されたハンドオーバを（具体的には、いずれの要求されたハンドオーバも、すなわち全ての要求されたハンドオーバを）開始させる装置（または記録媒体）にある。また、本発明の特徴は、コンピュータによって実行される前記命令を含むプログラムにもある。
【００２２】
この場合、前記装置（または記録媒体、プログラム）において、前記トラフィックチャンネルの第１スロットがバイト単位で格納されるようにするとよい。
【００２３】
また、前記装置（または記録媒体、プログラム）において、前記命令は、さらに前記マシンにハンドオーバが要求されているかどうかを判定させるようにするとよい。
【００２４】
【発明の実施の形態】
図１は、無線通信システムの要素を図示する。移動切換センター１０２は基地局１０４と通信を行う。基地局１０４はセル１０８内の移動局１０６との間でデータを送受信する。セル１０８は、半径が最大で３５キロメートルか、もう少し大きいほぼ６角形の地理的領域である。
【００２５】
移動局１０６は、基地局１０４との間でデータを送受信できる。セル１０８に隣接する別のセルにより、移動局１０６は通信を中断せずにセルの境界を横断できる。この理由は、隣接セルにある基地局１０４が、移動局１０６のためにデータ送受信の仕事を引き継ぐからである。移動切換センター１０２は、マルチセル領域内の移動局１０６間の全ての通信を調整する。したがって、移動切換センター１０２は多数の基地局１０４と通信することができる。
【００２６】
移動局１０６は、音声かデータを通信しながらセル１０８内を自由に動き回ることができる。移動局１０６は、他の電話システムユーザーと通信をしていない場合でも、セル１０８にある基地局１０４の送信をスキャンして、移動局１０６宛の電話呼出しやページングメッセージを検出する。
【００２７】
このような移動局１０６の一実施例は、歩行者が使用するセル方式電話であり、歩行者は、セル方式電話の電源を入れてセル１０８内を歩きながら電話の呼出しに備えている。セル方式電話は、基地局１０４との通信を同期させる。次いで、セル方式電話は、移動切換センター１０２に登録して、自らがその無線ネットワーク内のアクティブユーザーであることを知らせる。
【００２８】
移動局１０６は、基地局１０４により送信されたデータフレームをスキャンして、そのセル方式電話宛の電話呼出しやページングメッセージをすべて検出する。この呼出し検出モードで、移動局１０６は、ページングメッセージデータを受信、格納（記憶）および検査して、そのデータが移動局１０６の識別子と整合する識別子を含んでいるか否かを判定する。整合が検出されると、移動局１０６は基地局１０４を経由して移動切換センター１０２との通話を確立する。整合が検出されない場合は、移動局１０６は予め決められた所定期間にわたってアイドル状態に入り、その後、アイドル状態を脱して別のページングメッセージデータの送信を受信する。
【００２９】
図２は、無線通信システムにおける一連のセル１０８ａ〜１０８ｋの一実施例を示す。セル１０８ａ〜１０８ｋは一般的に６角形であるが、円形、矩形、楕円形、長楕円形、その他の多角形であってもよい。各セル１０８ａ〜１０８ｋのサイズは、場所によって大きく異なる。例えば、密集した都市部ではセル１０８ｆは小さく、地方ではセル１０８ｂのサイズは大きくなるだろう。セル１０８ａ〜１０８ｋはそれぞれ、対応する基地局１０４ａ〜１０４ｋを有する。
【００３０】
図２では、移動局１０６ｂがセル１０８ｂ内に位置している。移動局１０６ｂはセル１０８ｂ内にあって基地局１０４ｂにより支援されているが、負荷および他の要件により、利用可能な信号を提供するどの基地局１０４により支援されてもよい。一方、一つのセル１０８では、移動局１０６は、隣の各セル１０８にある基地局１０４の信号強度を定期的にチェックする。例えば、移動局１０６ｂはセル１０８ｂにあるが、移動局１０６ｂは基地局１０４ａ、１０４ｃ、１０４ｄおよび１０４ｅの信号強度を監視する。移動局１０６ｂがセル１０８ｅへ移動すると、移動切換センター１０２は、移動局１０６ｂに、基地局１０４ｅへのハンドオーバを行わせることができる。次いで、この状況では、移動局１０６は、基地局１０４ｂ、１０４ｃ、１０４ｄ、１０４ｇおよび１０４ｈの信号強度を定期的に監視する。セル１０８ａ〜１０８ｋ間を移動するために、移動局１０６は隣の基地局１０４からのトラフィックチャンネルのメッセージを検出できる。一旦トラフィックチャンネルメッセージを確認すると、移動局１０６は、ハンドオーバ手続きを開始して基地局１０４を切換える。
【００３１】
図３は、一実施形態によるトラフィックチャンネルのメッセージアセンブリプロセス３００を図示する。パーソナルディジタル通信（ＰＤＣ）システムでは、トラフィックチャンネルは高速アソシエーティッド制御チャンネル（ＦＡＣＣＨ）を含む。ハンドオーバ時間は、ＦＡＣＣＨの復号時間（デコーディング時間）を短かくすることにより短縮できる。ハンドオーバ時間は、移動局１０６が現在のトラフィックチャンネルから切換えられて、新規に割り当てられたトラフィックチャンネルと同期が確立するまでの時間である。したがって、新規のトラフィックチャンネルが直ちに復号化（デコード）できる場合、移動局１０６は、同期までに必要な時間を短縮でき、よってハンドオフ時間を短縮できる。
【００３２】
ＰＤＣシステムでは、ＦＡＣＣＨはいくつかのスロット３０５，３１０を含む。これらの各スロット３０５、３１０は、ＦＡＣＣＨ全体を構成する情報を含む。ＦＡＣＣＨにおいて、各スロット３０５、３１０は１１２ビットのデータを有している。第１スロット３０５は、情報ビット３１５と巡回冗長チェック（ＣＲＣ）ビット３２０を含む。第２スロット３１０は、フォワードエラー制御（ＦＥＣ）ビット３２５を含む。フォワードエラー制御（ＦＥＣ）ビットは、送信エラーが存在しても、ディジタルメッセージを検出するとともに訂正する能力を提供する。しかし、メッセージがエラーなしで受信されたことをＣＲＣビットが示す場合は、ＦＥＣビットは冗長であるかもしれない。メッセージがエラーなしで受信されたことをＣＲＣビットが示さない場合は、ＦＥＣビットを用いてメッセージの状態をさらにチェックする。一般に、ＣＲＣビットとＦＥＣビットは共に、トラフィックチャンネルからのすべてのメッセージを処理する前に受信され、抽出されかつ格納（記憶）される。
【００３３】
図４は、本発明の一実施形態によるトラフィックチャンネルのメッセージを復号化（デコード）するプロセス４００すなわちコンピュータにより実行されるプログラム４００を図示する。プロセス４００は開始ブロック４０５で始まる。ブロック４１０へ進むと、トラフィックチャンネルメッセージの第１スロット３０５が抽出されてバイト単位で格納（記憶）される。ブロック４１５へ進むと、ＣＲＣ復号化（デコード）が第１スロット３２０のＣＲＣビット３２０に適用される。
【００３４】
ブロック４２０へ進むと、ブロック４１５のＣＲＣ復号化の結果が検証される。第１スロット３０５のデータが首尾よく受信されると、ＣＲＣビット３２０は損なわれていない（完全）であろうし、ＣＲＣ復号化は、復号が首尾よく行われたことを示すであろう。ＣＲＣ復号化が首尾よく行われた場合、プロセス４００はＹＥＳの分岐に沿ってブロック４４５へ進む。ビットエラーレート（ＢＥＲ）が低い良好なチャンネル状態では、エラーの確率は低い。こうしてＣＲＣ復号化が首尾よく行われる機会が高まる。ＣＲＣ復号化が首尾よく行われない場合、プロセスはＮＯの分岐に沿ってブロック４２５へ進む。
【００３５】
ブロック４２５では、ＦＥＣビット３２５を含むトラフィックチャンネルメッセージの第２スロット３１０が抽出されてバイト単位で格納（記憶）される。ブロック４３０に進むと、トラフィックチャンネルメッセージは、Bose-Chaudhuri-Hocquengh（ＢＣＨ）符号化（ＢＣＨコーディング）を用いて復号化される。ＢＣＨ符号（ＢＣＨコード）は線形代数とこれらの数式の特性に基礎をおく巡回型ブロック符号（巡回型ブロックコード）である。ＢＣＨ符号の設計は、オーバーヘッドと性能へ直接関係する符号化パラメータを定義することにより選択すればよい。ＢＣＨ符号はブロック長の有効範囲に対する強力な線形符号（線形コード）である。
【００３６】
ブロック４３５へ進んで、トラフィックチャンネルメッセージが復号化（デコード）された後、２回目のＣＲＣ復号化が行われる。その後、プロセス４００はブロック４４０へ進みＣＲＣ復号化の結果をチェックする。復号化がトラフィックチャンネルの首尾よい受信を示す場合、プロセスはＹＥＳの分岐に沿ってブロック４４５へ進む。ブロック４４５では、新規なトラフィックチャンネルに対するハンドオーバ処理が開始される。ハンドオーバ処理は、無線通信ネットワークによって管理され得る。
【００３７】
ブロック４４０に戻って、ＣＲＣ復号化がトラフィックチャンネルの受信が首尾よくいかなかったことを示す場合、プロセス４００はＮＯの分岐に沿って状態４５０へ進む。状態４５０ではトラフィックチャンネルメッセージは信頼性がないとして破棄される。ブロック４４５と４５０の両方に続いて、プロセスは終了ブロック４５５で終わる。
【００３８】
セル方式に基づくディジタル通信システムに適用される本発明の原理は、パーソナル通信システム、幹線システム（トランクシステム）、衛星システムおよびデータネットワークを含むが、それらに限定されない他のタイプの通信システムにも適用される。同様に、すべてのタイプのディジタル無線周波数チャンネルに適用される本発明の原理は、例えば電子データバス、有線チャンネル、光ファイバーリンクおよび衛星リンクなどの他のタイプの通信チャンネルにも適用される。
【００３９】
本発明の数多くの修正や改変はこの技術に精通する者には容易に分かるであろう。したがって、本発明はその精神または基本的な特性から逸脱することなく他の特定の形で実現され得る。
【図面の簡単な説明】
【図１】  本発明の一実施形態で用いるのに適切な無線通信システムの構成要素を示す図である。
【図２】  無線通信システムにおける一連のセルを示す図である。
【図３】  本発明の一実施形態によるトラフィックチャンネルのメッセージアセンブリプロセスを示す図である。
【図４】  本発明の一実施形態によるトラフィックチャンネルのメッセージを復号化する手順を示す図である。
【符号の説明】
１０２…移動切換センター、１０４…基地局、１０６…移動局、１０８…セル。
【図１】
0003811400.tif 000002
【図２】
0003811400.tif 000003
【図３】
0003811400.tif 000004
【図４】
0003811400.tif 000005